(57)【要約】本発明は、レンズ枠の連結部及びテンプルに着脱可能に取り付けることができる簡単な構造の眼鏡用蝶番及びそれを備えた眼鏡フレームを提供することを目的とするものである。蝶番３は、レンズ枠１側に着脱可能に取り付けられる一対の枠側コマ部材３０及び３１並びにテンプル２側に着脱可能に取り付けられる一対のテンプル側コマ部材３２及び３３を備えており、各コマ部材が１つのネジ部材３４に連結されて構成されている。枠側コマ部材３０は連結片１２の上側に着脱可能に係合して取り付けられており、枠側コマ部材３１は連結片１３の下側に着脱可能に係合して取り付けられている。また、テンプル側コマ部材３２は、上連結片２１の下側である割り溝２０側に挿着されて着脱可能に係合して取り付けられており、テンプル側コマ部材３３は、下連結片２２の上側である割り溝２０側に挿着されて着脱可能に係合して取り付けられている。
2010007692.tif 000002
【特許請求の範囲】
【請求項１】
レンズ枠に設けられた連結部にそれぞれ着脱可能に係合して当該連結部に取り付けられる一対の枠側コマ部材と、テンプルにそれぞれ着脱可能に係合して取り付けられる一対のテンプル側コマ部材と、前記枠側コマ部材及び前記テンプル側コマ部材を連結するネジ部材とを備えていることを特徴とする眼鏡用蝶番。
【請求項２】
前記枠側コマ部材は、前記連結部を挟持するように取り付けられることを特徴とする請求項１に記載の眼鏡用蝶番。
【請求項３】
前記枠側コマ部材は、前記連結部に形成された割り溝にそれぞれ挿着して取り付けられることを特徴とする請求項１に記載の眼鏡用蝶番。
【請求項４】
前記テンプル側コマ部材は、前記テンプルを挟持するように取り付けられることを特徴とする請求項１から３のいずれかに記載の眼鏡用蝶番。
【請求項５】
前記テンプル側コマ部材は、前記テンプルに形成された割り溝にそれぞれ挿着して取り付けられることを特徴とする請求項１から３のいずれかに記載の眼鏡用蝶番。
【請求項６】
前記枠側コマ部材には前記連結部に係合するフック部が形成されており、前記フック部の先端は前記連結部の表面に沿うように延設されていることを特徴とする請求項１から５のいずれかに記載の眼鏡用蝶番。
【請求項７】
前記テンプル側コマ部材には前記テンプルに係合するフック部が形成されており、前記フック部の先端は前記テンプルの表面に沿うように延設されていることを特徴とする請求項１から６のいずれかに記載の眼鏡用蝶番。
【請求項８】
前記フック部の延設部分には装飾体が設けられていることを特徴とする請求項６又は７に記載の眼鏡用蝶番。
【請求項９】
請求項１から８のいずれかに記載の眼鏡用蝶番によりレンズ枠の連結部及びテンプルを連結していることを特徴とする眼鏡フレーム。
【発明の詳細な説明】
【技術分野】
【０００１】
本発明は、着脱可能に取り付けられる眼鏡用蝶番及びそれを備えた眼鏡フレームに関する。
【背景技術】
【０００２】
眼鏡は、レンズを保持するレンズ枠に眼鏡用蝶番を介してテンプルを取り付けてテンプルが折り畳めるようになっている。眼鏡用蝶番は、レンズ枠側に固定されるコマ部材とテンプル側に固定されるコマ部材とをネジにより連結して構成されており、それぞれのコマ部材をロウ付け等により固定することが行われているが、こうした蝶番構造の簡略化及び取付作業の効率化の観点から様々な改良工夫が提案されている。【０００３】
例えば、特許文献１では、上下に分離したレンズ枠に固定された一対の割智をネジ止めするとともに割智の間にテンプルをネジ止めして回動可能に取り付けたテンプルの結合構造が記載されている。また、特許文献２では、上リムの上ブラケット及び下リムの下ブラケットを上ブラケットに装着された装飾体とともにネジにより固定するとともに上下ブラケットの間にテンプルをネジ止めして回動可能に取り付けた眼鏡が記載されている。また、特許文献３では、マウントの連結要素にサイドピースの蝶番要素を取り付けてサイドピースを回動可能に設けた眼鏡が記載されている。
【特許文献１】実開昭６３−１７３２１７号公報
【特許文献２】登録実用新案第３０５５８７９号公報
【特許文献３】特開２００７−５３７４６７号公報
【発明の開示】
【発明が解決しようとする課題】
【０００４】
上述した先行文献では、レンズ枠に一体化した割智等の連結部に直接テンプルを取り付けることで構造を簡略化しているが、特許文献１及び２のように、テンプルを取り付けるためにレンズ枠の連結部の形状を変更しさらに連結部にネジ穴を形成しなければならず、製造工程が複雑化するデメリットがある。また、特許文献３ではテンプルに蝶番要素を一体化しており、テンプルが複雑な構造になっている。【０００５】
そこで、本発明は、レンズ枠の連結部及びテンプルに着脱可能に取り付けることができる簡単な構造の眼鏡用蝶番及びそれを備えた眼鏡フレームを提供することを目的とするものである。
【課題を解決するための手段】
【０００６】
本発明に係る眼鏡用蝶番は、レンズ枠に設けられた連結部にそれぞれ着脱可能に係合して当該連結部に取り付けられる一対の枠側コマ部材と、テンプルにそれぞれ着脱可能に係合して取り付けられる一対のテンプル側コマ部材と、前記枠側コマ部材及び前記テンプル側コマ部材を連結するネジ部材とを備えていることを特徴とする。さらに、前記枠側コマ部材は、前記連結部を挟持するように取り付けられることを特徴とする。さらに、前記枠側コマ部材は、前記連結部に形成された割り溝にそれぞれ挿着して取り付けられることを特徴とする。さらに、前記テンプル側コマ部材は、前記テンプルを挟持するように取り付けられることを特徴とする。さらに、前記テンプル側コマ部材は、前記テンプルに形成された割り溝にそれぞれ挿着して取り付けられることを特徴とする。さらに、前記枠側コマ部材には前記連結部に係合するフック部が形成されており、前記フック部の先端は前記連結部の表面に沿うように延設されていることを特徴とする。さらに、前記テンプル側コマ部材には前記テンプルに係合するフック部が形成されており、前記フック部の先端は前記テンプルの表面に沿うように延設されていることを特徴とする。さらに、前記フック部の延設部分には装飾体が設けられていることを特徴とする。【０００７】
本発明に係る眼鏡フレームは、上記の眼鏡用蝶番によりレンズ枠の連結部及びテンプルを連結していることを特徴とする。さらに、前記連結部は前記レンズ枠の分離箇所に設けられた一対の連結片からなり、前記連結片にそれぞれ前記枠側コマ部材が係合して取り付けられていることを特徴とする。
【発明の効果】
【０００８】
上記のような構成を有することで、レンズ枠の連結部に着脱可能に係合する一対の枠側コマ部材とテンプルに着脱可能に係合する一対のテンプル側コマ部材とをネジ部材で連結するようにしているので、各コマ部材を係合してネジ部材で連結すればレンズ枠の連結部及びテンプルに簡単に取り付けることができる。【０００９】
また、ネジ部材を外すことでレンズ枠及びテンプルから簡単に取り外すこともできるので、レンズ枠及びテンプルを別のものと交換して組合せを変更することも簡単に行うことが可能となる。そして、一対の枠側コマ部材により連結部に取り付けるので、連結部のサイズが変わる場合にも容易に対応することができ、同様に一対のテンプル側コマ部材によりテンプルに取り付けることでテンプルのサイズ変更にも容易に対応することができる。【００１０】
また、枠側コマ部材が連結部を挟持するように取り付けられることで、連結部に安定した状態で枠側コマ部材を取り付けることができる。連結部がレンズ枠の分離箇所に設けられた一対の連結片からなる場合には、枠側コマ部材により一対の連結片が挟持されて安定した連結状態に保持されるようになる。【００１１】
また、枠側コマ部材が連結部に形成された割り溝にそれぞれ挿着して取り付けられることで、連結部のサイズが変更された場合でもそのまま安定した状態で取り付けることができる【００１２】
また、テンプル側コマ部材がテンプルを挟持するように取り付けられることで、テンプルに安定した状態でテンプル側コマ部材を取り付けることができる。【００１３】
また、テンプル側コマ部材がテンプルに形成された割り溝にそれぞれ挿着して取り付けられることで、テンプルのサイズが変更された場合でもテンプル側コマ部材を安定した状態で取り付けることができる。【００１４】
また、枠側コマ部材において連結部に係合するフック部を形成してその先端が連結部の表面に沿うように延設することで、枠側コマ部材の本体とフック部との間で連結部を両側から挟持するように保持するようになり、連結部をがたつくことなく保持することができる。同様に、テンプル側コマ部材においてテンプルに係合するフック部を形成してその先端がテンプルの表面に沿うように延設することで、テンプルをがたつくことなく保持することができる。【００１５】
フック部の延設部分に装飾体を設けることで、連結部又はテンプルに各コマ部材を取り付けた際にワンポイントの装飾効果を得ることができる。
【発明を実施するための最良の形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。【００１７】
図１は、本発明に係る眼鏡用蝶番を備えた眼鏡フレームに関する外観斜視図である。眼鏡フレームは、レンズ枠１に蝶番３を介してテンプル２が回動可能に取り付けられている。なお、図１では、レンズ枠１及びテンプル２の一部のみ表示してそれ以外は省略している。【００１８】
レンズ枠１は、レンズ４を上下から保持する上枠体１０及び下枠体１１を備えており、上枠体１０及び下枠体１１はレンズ４の側部で当接して連結される。上枠体１０の当接部分ではテンプル２側に折れ曲るように湾曲して連結片１２が形成されており、下枠体１１の当接部分ではテンプル２側に折れ曲るように湾曲して連結片１３が形成されている。連結片１２及び１３は、テンプル側２に同じ長さで延設されて所定幅の帯状に形成されていおり、両者を当接した状態に固定することでレンズ４がレンズ枠１内に保持される。また、連結片１２及び１３は、蝶番３を介してテンプル２に連結される連結部として用いられる。【００１９】
テンプル２は、所定幅の板状に形成されており、レンズ枠１側の端部では長手方向に沿ってほぼ中心部に割り溝２０が形成されている。割り溝２０により帯状の上連結片２１及び下連結片２２が形成されている。【００２０】
蝶番３は、レンズ枠１側に着脱可能に取り付けられる一対の枠側コマ部材３０及び３１並びにテンプル２側に着脱可能に取り付けられる一対のテンプル側コマ部材３２及び３３を備えており、各コマ部材が１つのネジ部材３４に連結されて構成されている。【００２１】
枠側コマ部材３０は連結片１２の上側に着脱可能に係合して取り付けられており、枠側コマ部材３１は連結片１３の下側に着脱可能に係合して取り付けられている。また、テンプル側コマ部材３２は、上連結片２１の下側である割り溝２０側に挿着されて着脱可能に係合して取り付けられており、テンプル側コマ部材３３は、下連結片２２の上側である割り溝２０側に挿着されて着脱可能に係合して取り付けられている。【００２２】
図２は、蝶番３に関する分解斜視図であり、図３は蝶番３に関する平面図である。また、図４は図３のＡ−Ａ断面図であり、図５は図３のＢ−Ｂ断面図である。【００２３】
枠側コマ部材３０は、ネジ部材３４が螺着されるネジ穴が形成された本体部３０１、本体部３０１の外周面から延設された支持部３０２、支持部３０２の支持面の上部から鉤状に突設されたフック部３０３、及び、フック部３０３の先端が下方に延設されその表面に形成された装飾体３０４を備えている。支持部３０２の支持面とフック部３０３との間の間隔は連結部１２の厚さとほぼ同じかわずかに大きくなるように設定されている。【００２４】
そして、連結片１２の上部には矩形状に切り欠かれた係合部１４が形成されている。係合部１４の幅はフック部３０３の幅とほぼ同じかわずかに広く設定されており、その深さはフック部３０３の厚さとほぼ同じかわずかに大きくなるように設定されている。【００２５】
枠側コマ部材３０の支持部３０２とフック部３０３との間に連結片１２を挿入して係合部１４に上方からフック部３０３を嵌め込むことで、枠側コマ部材３０を着脱可能に連結片１２に係合して取り付けることができる。【００２６】
なお、連結片１２の支持部３０２と対向する面側に支持部３０２とほぼ同じ幅で凹状段差部を形成しておき、支持部３０２を凹状段差部に嵌め込むように取り付ければ、枠側コマ部材３０を連結片１２にさらに強固に取り付けることができる。【００２７】
枠側コマ部材３１は、枠側コマ部材３０と同様に、本体部３１１、支持部３１２、フック部３１３及び装飾体３１４を備えており、フック部３１３は支持部３１２の支持面の下部から突設されてその先端が上方に向かって延設されている。【００２８】
連結片１３の下部には矩形状に切り欠かれた係合部１５が形成されている。係合部１５の幅はフック部３１３の幅とほぼ同じかわずかに広く設定されており、その深さはフック部３１３の厚さとほぼ同じかわずかに大きくなるように設定されている。【００２９】
枠側コマ部材３１の支持部３１２とフック部３１３との間に連結片１３を挿入して係合部１５に下方からフック部３１３を嵌め込むことで、枠側コマ部材３１を着脱可能に連結片１３に係合して取り付けることができる。【００３０】
なお、連結片１３の支持部３１２と対向する面側に支持部３１２とほぼ同じ幅で凹状段差部を形成しておき、支持部３１２を凹状段差部に嵌め込むように取り付ければ、枠側コマ部材３１を連結片１３にさらに強固に取り付けることができる。【００３１】
テンプル側コマ部材３２は、枠側コマ部材３０と同様に、本体部３２１、支持部３２２、フック部３２３及び装飾体３２４を備えている。本体部３２１は、枠側コマ部材３０の本体部３０１よりも厚さが薄く形成されており、支持部３２２は本体部３２１の周面から上方に向かって立設されている。また、フック部３２３は支持部３２２の支持面の下部から突設されてその先端が上方に向かって延設されている。【００３２】
上連結片２１の下部には矩形状に切り欠かれた係合部２３が形成されている。係合部２３の幅はフック部３２３の幅とほぼ同じかわずかに広く設定されており、その深さはフック部３２３の厚さよりも小さくなるように設定されている。【００３３】
テンプル側コマ部材３２の支持部３２２とフック部３２３との間に上連結片２１を挿入して係合部２３に下方からフック部３２３を嵌め込むことで、テンプル側コマ部材３２を着脱可能に上連結片２１に係合して取り付けることができる。【００３４】
なお、上連結片２１の支持部３２２と対向する面側に支持部３２２とほぼ同じ幅で凹状段差部を形成しておき、支持部３２２を凹状段差部に嵌め込むように取り付ければ、テンプル側コマ部材３２を上連結片２１にさらに強固に取り付けることができる。【００３５】
テンプル側コマ部材３３は、テンプル側コマ部材３２と同様に、本体部３３１、支持部３３２、フック部３３３及び装飾体３３４を備えている。本体部３３１は、テンプル側コマ部材３２の本体部３２１と同じ厚さに形成されており、支持部３３２は本体部３３１の周面から下方に向かって垂設されている。また、フック部３３３は支持部３３２の支持面の上部から突設されてその先端が下方に向かって延設されている。【００３６】
下連結片２２の上部には矩形状に切り欠かれた係合部２４が形成されている。係合部２４の幅はフック部３３３の幅とほぼ同じかわずかに広く設定されており、その深さはフック部３３３の厚さよりも小さくなるように設定されている。【００３７】
テンプル側コマ部材３３の支持部３３２とフック部３３３との間に下連結片２２を挿入して係合部２４に上方からフック部３３３を嵌め込むことで、テンプル側コマ部材３３を着脱可能に下連結片２２に係合して取り付けることができる。【００３８】
なお、下連結片２２の支持部３３２と対向する面側に支持部３３２とほぼ同じ幅で凹状段差部を形成しておき、支持部３３２を凹状段差部に嵌め込むように取り付ければ、テンプル側コマ部材３３を下連結片２２にさらに強固に取り付けることができる。【００３９】
テンプル側コマ部材３２及び３３を取り付けた状態では、本体部３２１及び３３１並びに支持部３２２及び３３２の対向する面同士が密着した状態となる。各コマ部材のフック部３２３及び３３３が係合部２３及び２４から割り溝２０に突出した状態となり、フック部３２３及び３３３の突出量の合計が割り溝２０の溝幅よりもわずかに大きくなるように設定されている。そのため、テンプル側コマ部材３２及び３３を密着した状態にセットすると割り溝２０が拡がるように作用するようになり、上連結片２１及び下連結片２２からの反発力が生じて両コマ部材を密着した状態に保持するようになる。【００４０】
枠側コマ部材３０及び３１を連結片１２及び１３に取り付け、テンプル側コマ部材３２及び３３を上連結片２１及び下連結片２２に取り付けて、各本体部のネジ穴を一致させた状態に位置調整した後ネジ部材３４をネジ穴に螺着して貫通させ各コマ部材を一体的に連結する。【００４１】
ネジ部材３４により枠側コマ部材３０及び３１を連結することで、連結片１２及び１３を枠側コマ部材３０及び３１で挟持するように取り付けることができ、連結片１２及び１３が当接した状態に保持される。枠側コマ部材３０及び３１はそれぞれフック部が連結片の係合部に係合しているため、テンプル側に引き抜かれることはなく、連結片１２及び１３の幅方向にがたつくこともない。また、連結片１２及び１３を各枠側コマ部材の支持部とフック部との間に挿着しているので、連結片１２及び１３の厚さ方向にもがたつくことがなく、連結片１２及び１３が枠側コマ部材３０及び３１にしっかりと保持されるようになる。【００４２】
また、枠側コマ部材３０及び３１をネジ部材３４により連結することで、連結片１２及び１３を締め付けるようになって連結片１２及び１３からの反発力が枠側コマ部材３０及び３１の間隔を広げるように作用するため、テンプル側コマ部材３２及び３３との間の回動特性（いわゆる、アガキ）がよくなる。【００４３】
ネジ部材３４により枠側コマ部材３０及び３１の間にテンプル側コマ部材３２及び３３を連結することで、テンプル２を回動可能に取り付けることができる。テンプル側コマ部材３２及び３３はそれぞれフック部が上連結片２１及び下連結片２２の係合部に係合しているため、レンズ枠側に引き抜かれることはなく、上連結片２１及び下連結片２２の幅方向にがたつくこともない。また、上連結片２１及び下連結片２２を各テンプル側コマ部材の支持部とフック部との間に挿着しているので、上連結片２１及び下連結片２２の厚さ方向にもがたつくことがなく、上連結片２１及び下連結片２２がテンプル側コマ部材３２及び３３にしっかりと保持されるようになる。【００４４】
また、枠側コマ部材３０及び３１の装飾体３０４及び３１４が連結片１２及び１３の外面に上下に配置され、テンプル側コマ部材３２及び３３の装飾体３２４及び３３４が上連結片２１及び下連結片２２の外面に上下に配置されるようになるため、４つの装飾体が所定の間隔を置いて配列されてワンポイントの装飾効果を得ることができる。装飾体としては、フック部に装飾デザインを一体成形してもよく、ダイヤモンド等の装飾物を埋め込むようにすることもできる。【００４５】
図６は、蝶番３を組み立てる場合の説明図である。まず、枠側コマ部材３０の支持部３０２とフック部３０３との間に連結片１２を嵌め込み、フック部３０３を係合部１４に係合させる。次に、枠側コマ部材３１の支持部３１２とフック部３１３との間に連結片１３を嵌め込み、フック部３１３を係合部１５に係合させる。【００４６】
次に、上連結片２１を厚さ方向に大きく湾曲させ、テンプル側コマ部材３３の支持部３３２とフック部３３３との間に下連結片２２を嵌め込み、フック部３３３を係合部２４に係合させる。次に、テンプル側コマ部材３２の支持部３２２とフック部３２３との間に上連結片２１を嵌め込み、フック部３２３を係合部２３に係合させる。そして、上連結片２１を元に戻して、テンプル側コマ部材３３の上面にテンプル側コマ部材３２の下面を密着させた状態にする。その際に、テンプル側コマ部材３２の本体部３２１のネジ穴とテンプル側コマ部材３３の本体部３３１のネジ穴を一致させるように位置調整する。【００４７】
次に、密着した状態の本体部３２１及び３３１を枠側コマ部材３０の本体部３０１と枠側コマ部材３１の本体部３１１との間にセットして各本体部のネジ穴を一致させるように位置調整を行い、ネジ穴にネジ部材を螺着して各コマ部材を一体的に連結する。【００４８】
図７は、上述した実施形態においてコマ部材の間にスペーサを挿入した場合に関する分解斜視図であり、図８は、図７に示す蝶番に関する断面図である。この例では、枠側コマ部材３０の本体部３０１とテンプル側コマ部材３２の本体部３２１との間に円筒状のスペーサ３０５が挿入されており、枠側コマ部材３１の本体部３１１とテンプル側コマ部材３３の本体部３３１との間に円筒状のスペーサ３１５が挿入されている。【００４９】
レンズのサイズやレンズ枠の連結片のサイズが変更された場合に、それに合せてスペーサ３０５及び３１５の長さを調整すればサイズ変更に簡単に対応することができ、枠側コマ部材を連結片にしっかりと保持することが可能となる。スペーサとしては、円筒状以外の形状のものを用いてもよい。例えば、本体部のネジ穴に挿入可能な挿入筒部にフランジ状にスペーサを形成したキャップ状のものを用いることもできる。【００５０】
図９は、上述した実施形態の変形例に関する斜視図であり、図１０は、図９に示す変形例に関する分解斜視図である。この例では、蝶番３’は、蝶番３のテンプル側コマ部材３２及び３３の代わりに別のテンプル側コマ部材３５及び３６を用いている。【００５１】
テンプル側コマ部材３５は、テンプル側コマ部材３２と同様に、本体部３５１、支持部３５２、フック部３５３及び装飾体３５４を備えている。フック部３５３は、支持部３５２の上部から突設されてその先端が下方に向かって延設されている。テンプル側コマ部材３５を取り付ける場合には、上連結片２１の上方から支持部３５２とフック部３５３との間に上連結片２１を挿入する。その際、上連結片２１の内面側には支持部３５２とほぼ同じ幅の凹状段差部２５が形成されており、支持部３５２を凹状段差部２５に嵌め込むようにテンプル側コマ部材３５を装着する。そして、フック部３５３が係合部２３に嵌め込まれて係合された状態で取り付けられる。【００５２】
テンプル側コマ部材３６は、テンプル側コマ部材３３と同様に、本体部３６１、支持部３６２、フック部３６３及び装飾体３６４を備えている。フック部３６３は、支持部３６２の上部から突設されてその先端が下方に向かって延設されている。テンプル側コマ部材３６を取り付ける場合には、下連結片２２の上方から支持部３６２とフック部３６３との間に下連結片２２を挿入する。その際、下連結片２２の内面側には支持部３６２とほぼ同じ幅の凹状段差部２６が形成されており、支持部３６２を凹状段差部２６に嵌め込むようにテンプル側コマ部材３６を装着する。そして、フック部３６３が係合部２４に嵌め込まれて係合された状態で取り付けられる。【００５３】
連結片１２及び１３の内面側にもそれぞれ凹状段差部１６及び１７が形成されており、枠側コマ部材３０は、支持部３０２が凹状段差部１６に嵌め込まれて取り付けられ、枠側コマ部材３１は、支持部３１２が凹状段差部１７に嵌め込まれて取り付けられる。【００５４】
図１１は、蝶番３’を内面側から見た外観斜視図である。各コマ部材の支持部が凹状段差部に嵌め込まれるとともにフック部が係合部に嵌め込まれているので、連結片１２及び１３と枠側コマ部材３０及び３１とがしっかりと連結され、上連結片２１及び下連結片２２とテンプル側コマ部材３５及び３６がしっかりと連結される。そのため、テンプル２を安定した状態で回動させることができる。また、いずれのコマ部材も外側から取り付けることができるため組立作業も容易に行うことが可能となる。【００５５】
図１２は、上述した実施形態の別の変形例に関する斜視図であり、図１３は、図１２に示す変形例に関する分解斜視図である。この例では、蝶番３”は、蝶番３の枠側コマ部材３０及び３１の代わりに別の枠側コマ部材３７及び３８を用いている。また、レンズ枠１には連結部８が一体成形されており、その端部には割り溝１９により上連結片１８１及び下連結片１８２が形成されている。【００５６】
枠側側コマ部材３７は、枠側コマ部材３０と同様に、本体部３７１、支持部３７２、フック部３７３及び装飾体３７４を備えている。支持部３７２は本体部３７１の周面から下方に向かって垂設されており、フック部３７３は支持部３７２の支持面の下部から突設されてその先端が上方に向かって延設されている。【００５７】
上連結片１８１の下部には矩形状に切り欠かれた係合部１９１が形成されている。係合部１９１の幅はフック部３７３の幅とほぼ同じかわずかに広く設定されており、その深さはフック部３７３の厚さよりも小さくなるように設定されている。【００５８】
枠側コマ部材３７の支持部３７２とフック部３７３との間に上連結片１８１を挿入して係合部１９１に下方からフック部３７３を嵌め込むことで、枠側コマ部材３７を着脱可能に上連結片１９１に係合して取り付けることができる。【００５９】
枠側コマ部材３８は、枠側コマ部材３１と同様に、本体部３８１、支持部３８２、フック部３８３及び装飾体３８４を備えている。支持部３８２は本体部３８１の周面から上方に向かって立設されており、フック部３８３は支持部３８２の支持面の上部から突設されてその先端が下方に向かって延設されている。【００６０】
下連結片１８２の上部には矩形状に切り欠かれた係合部１９２が形成されている。係合部１９２の幅はフック部３８３の幅とほぼ同じかわずかに広く設定されており、その深さはフック部３８３の厚さよりも小さくなるように設定されている。【００６１】
枠側コマ部材３８の支持部３８２とフック部３８３との間に下連結片１８２を挿入して係合部１９２に上方からフック部３８３を嵌め込むことで、枠側コマ部材３８を着脱可能に下連結片１８２に係合して取り付けることができる。【００６２】
枠側コマ部材３７及び３８を取り付けた状態では、支持部３７２の下面及び３８２の上面が密着した状態となる。そして、本体部３７１及び３８１の間にテンプル側コマ部材３２及び３３の本体部３２１及び３３１を挿着してネジ部材３４を螺着して各コマ部材を一体的に連結する。【００６３】
以上説明したように、レンズ枠とテンプルとを連結する蝶番を着脱可能な枠側コマ部材及びテンプル側コマ部材で構成したので、ロウ付け等の作業工程が不要となって簡単に取り付けることができる。そのため、レンズ枠とテンプルとの組合せを自由に変更することも可能となる。【００６４】
また、レンズのサイズやレンズ枠の連結片のサイズが変更された場合でも枠側コマ部材とテンプル側コマ部材の本体部の間にスペーサを挿入してサイズ変更に簡単に対応することができる。同様に、テンプルのサイズが変更された場合でも一対のテンプル側コマ部材の本体部の間にスペースを挿入してサイズに合わせた調整を行うことができる。なお、割り溝に挿着する枠側コマ部材又はテンプル側コマ部材の場合には、連結部又はテンプルのサイズが変更になってもそのまま使用できるメリットがある。
【図面の簡単な説明】
【００６５】
【図１】本発明に係る眼鏡用蝶番を備えた眼鏡フレームに関する外観斜視図である。
【図２】蝶番３に関する分解斜視図である。
【図３】蝶番に関する平面図である。
【図４】図３のＡ−Ａ断面図である。
【図５】図３のＢ−Ｂ断面図である。
【図６】蝶番を組み立てる場合の説明図である。
【図７】スペーサを挿入した場合に関する分解斜視図である。
【図８】図７に示す蝶番に関する断面図である。
【図９】変形例に関する斜視図である。
【図１０】図９に示す変形例に関する分解斜視図である。
【図１１】蝶番を内面側から見た外観斜視図である。
【図１２】別の変形例に関する斜視図である。
【図１３】図１２に示す変形例に関する分解斜視図である。
【符号の説明】
【００６６】
１    レンズ枠
10    上枠体
11    下枠体
12    連結片
13    連結片
14    係合部
15    係合部
16    凹状段差部
17    凹状段差部
２    テンプル
20    割り溝
21    上連結片
22    下連結片
23    係合部
24    係合部
25    凹状段差部
26    凹状段差部
３    蝶番
30    枠側コマ部材
31    枠側コマ部材
32    テンプル側コマ部材
33    テンプル側コマ部材
34    ネジ部材
35    テンプル側コマ部材
36    テンプル側コマ部材
37    枠側コマ部材
38    枠側コマ部材
【図１】
2010007692.tif 000003
【図２】
2010007692.tif 000004
【図３】
2010007692.tif 000005
【図４】
2010007692.tif 000006
【図５】
2010007692.tif 000007
【図６】
2010007692.tif 000008
【図７】
2010007692.tif 000009
【図８】
2010007692.tif 000010
【図９】
2010007692.tif 000011
【図１０】
2010007692.tif 000012
【図１１】
2010007692.tif 000013
【図１２】
2010007692.tif 000014
【図１３】
2010007692.tif 000015
【国際調査報告】
2010007692.tif 000016
2010007692.tif 000017
2010007692.tif 000018
2010007692.tif 000019